(57)【要約】  アンカー固定ポイントにおいて浮体構造物等の海洋構造物のアンカー固定要素(3)をガイドするための索道器(5)であって、索道器は、アンカー固定要素をガイドする手段(11)および前記アンカー固定要素を適所に係止する手段(12)を有するタイプであり、アンカー固定要素が並進移動することを防ぐ閉位置と、アンカー固定要素を解放する開位置と、の間を制御手段によって作動される操縦手段によって移動可能な2つの係止顎部要素を含む係止顎部の形態をとる手段(13)を有し、この索道器(5)は、制御手段がインパルス型制御手段であり、操縦手段が、顎部形成手段(13)の連続した安定した開位置および閉位置を定義する歯止め手段(16)を備えることを特徴とする。
2019510688.tif 000002
【特許請求の範囲】
【請求項１】
アンカー固定ポイント(4)において浮体構造物(1)等の海洋構造物のアンカー固定要素(3)をガイドするための索道器(5)であって、該索道器は、前記アンカー固定要素(3)をガイドする手段(11)および前記アンカー固定要素を適所に係止する手段(12)を有するタイプであり、前記アンカー固定要素が並進移動することを防ぐ閉位置と、前記アンカー固定要素を解放する開位置と、の間を制御手段によって作動される操縦手段によって移動可能な、2つの係止顎部要素(14、15)を含んだ係止顎部の形態をとる手段(13)を有する、索道器(5)において、前記制御手段はインパルス型制御手段であり、前記操縦手段は、前記顎部形成手段(13)の連続的に安定した開位置および閉位置(PO、PF)を定義する歯止め手段(16)を備えていることを特徴とする、索道器(5)。
【請求項２】
前記制御手段は、前記歯止め手段(16)を用いて前記顎部形成手段(13)の2つの安定した位置を定義した閉じた経路に沿って移動可能な、前記顎部形成手段(13)の制御指部(18)のための牽引ケーブル(17)を含んでいることを特徴とする、請求項1に記載のガイド索道器。
【請求項３】
前記歯止め手段(16)は、前記指部(18)のための、前記顎部形成手段(13)の安定した開位置を定義した第1の歯止め(25)を有することを特徴とする、請求項2に記載のガイド索道器。
【請求項４】
前記歯止め手段(16)は、前記指部(18)の自由戻り経路において、前記顎部形成手段(13)の安定した閉位置に向かって前記指部(18)をガイドするための第2の逆流防止歯止め(27)を有することを特徴とする、請求項3に記載のガイド索道器。
【請求項５】
前記指部(18)は、前記顎部形成手段(13)の制御ユニット(20)の、2つの対向したフランジ(21、22)に配置されたガイドスロット(24)内を移動するのに適した端部を含んでいることを特徴とする、請求項4に記載のガイド索道器。
【請求項６】
前記制御ユニット(20)は、前記索道器の前記ガイド手段(11)の一方の側に取り付けられることを特徴とする、請求項5に記載のガイド索道器。
【請求項７】
前記指部(18)は、制御ケーブル(29)によって前記顎部形成手段に連結されている、請求項2から6のいずれか一項に記載のガイド索道器。
【請求項８】
前記制御ケーブル(29)は、前記顎部形成手段(13)の前記顎部要素(14、15)の操縦レバー(30、31)に連結されていることを特徴とする、請求項7に記載のガイド索道器。
【請求項９】
前記レバー(30、31)は切欠き付きウェブ(32、33)を含み、該切欠き付きウェブ(32、33)は、該切欠き付きウェブ(32、33)の動きおよび前記顎部形成手段(13)の前記顎部要素(14、15)の動きを同期させるように結合されていることを特徴とする、請求項8に記載のガイド索道器。
【請求項１０】
前記操縦手段はカウンターウェイト形成手段(40)を含み、該カウンターウェイト形成手段(40)は前記顎部形成手段(13)に結合され、該顎部形成手段(13)を前記閉位置に付勢することを特徴とする、請求項1から9のいずれか一項に記載のガイド索道器。
【発明の詳細な説明】
【技術分野】
【０００１】
本発明は、索道器に関する。
【０００２】
特に、本発明は、アンカー固定ポイントにおいて、浮体構造物等の海洋構造物のアンカー固定要素をガイドするための索道器に関する。
【０００３】
更により詳細には、本発明は浮体式エネルギー生産支持体等、建造プラットフォーム、掘削プラットフォーム、積載および積下ブイ、または更には洋上風力設備もしくは海洋熱エネルギー等に基づくエネルギー生産施設等の再生可能な海洋エネルギーを利用するための浮体式プラットフォーム等の海洋構造物に関連付けられた索道器に関することができる。
【背景技術】
【０００４】
そのような浮体構造物は、適所に保持されなくてはならないが、様々な力を受け、例えば、海流、うねり、風によって生じた、特に漂流力を受ける。
【０００５】
これらの構造物を、例えば作動場所において適所に保持するために、例えば全体的にまたは特に端部において部分的にチェーンで作成された1組のアンカー固定ロープを実装するアンカー固定手段が用いられる。
【０００６】
そして、そのようなロープは、例えば係留またはアンカー固定される構造物の周りに規則的に配置され、前記構造物と、例えば海底におけるそれぞれの係留またはアンカー固定ポイントと、の間に延びる。
【０００７】
そして、第1の端部がチェーンの形態で係留およびアンカー固定ポイントに取り付けられている係留およびアンカー固定ロープは、浮体ユニットまで上昇し、チェーン入口ガイド手段(chain entry guide means)を通じて浮体ユニットに関連付けられることがわかる。
【０００８】
これらのガイド手段は、当該技術分野において索道器としても既知である。
【０００９】
これらの索道器は、実際上、浮体構造物における締結および取り付け手段と、チェーンのためのガイド手段と、を含む機械デバイスである。
【００１０】
これらの索道器は、前記チェーンに張力をかける手段、および前記構造物を係留するためにチェーンを係止する手段とも何らかの形で関連付けられる。
【００１１】
張力手段は、例えばウィンチまたは巻き上げ機等を含むことができる。
【００１２】
チェーンを係止するためのシステムは、最新技術において、チェーンストッパとも呼ばれる。
【００１３】
これらの様々な手段の種々の実施形態は、最新技術において既知である。
【００１４】
このため、特許文献１は、そのような用途のための索道器を記載している。
【００１５】
実際に、一般的にこの索道器は、チェーンの形態を想定したアンカー固定要素をガイドする手段と、アンカー固定要素の並進を係止する非作動位置と前記アンカー固定要素を解放する開位置との間を制御手段によって作動される操縦手段によって移動可能な2つの係止顎部要素を含む係止顎部の形態の手段を含む、前記チェーンを適所に係止する手段と、を含む。
【００１６】
実際に、これらの顎部形成手段は、チェーンの並進を係止する閉じた作動位置と、前記チェーンを解放する開いた引き込み位置と、の間で制御手段によって作動される操縦手段によって動かされる2つの係止顎部要素を含む。
【００１７】
当然ながら、最新技術において、前記索道器の他の例示的な実施形態が知られている。
【００１８】
しかしながら、これらの索道器の全て、特に係止顎部形成手段の制御手段は、1つの共通ポイントを有する。
【００１９】
実際に、これらは、顎部形成手段を、チェーンを解放する開位置に保持するために、アクチュエータに対するアクションおよび命令の維持管理を必要とする。
【００２０】
これは、アンカー固定要素のこの係止解除および解放を得るための、システムの動作の信頼性、および例えば油圧または空気圧アクチュエータ等のための電源の維持管理の観点においていくつかの欠点を呈することがわかる。
【先行技術文献】
【特許文献】
【００２１】
【特許文献１】仏国特許出願公開第2,984,272号明細書
【発明の概要】
【発明が解決しようとする課題】
【００２２】
したがって、本発明は、これらの問題を解決することを目的とする。
【課題を解決するための手段】
【００２３】
その目的のために、本発明は、アンカー固定ポイントにおいて浮体構造物等の海洋構造物のアンカー固定要素をガイドするための索道器であって、この索道器は、アンカー固定要素をガイドする手段および前記アンカー固定要素を適所に係止する手段を有するタイプであり、アンカー固定要素が並進移動することを防ぐ閉位置と、アンカー固定要素を解放する開位置と、の間を制御手段によって作動される操縦手段によって移動可能な2つの係止顎部要素を含む係止顎部の形態をとる手段を有する、索道器において、制御手段はインパルス型制御手段であることを特徴とし、操縦手段は、顎部形成手段の連続的に安定した開位置および閉位置を定義する歯止め手段を備えることを特徴とする、索道器に関する。
【００２４】
単独でまたは組み合わせで検討される本発明による索道器の他の特徴によれば、
-  制御手段は、歯止め手段を用いて顎部形成手段の2つの安定した位置を定義する閉じた経路に沿って移動可能な、顎部形成手段の制御指部のための牽引ケーブルを含み、
-  歯止め手段は、指部のために、顎部形成手段の安定した開位置を定義する第1の歯止めを有し、
-  歯止め手段は、指部の自由戻り経路(free return path)において顎部形成手段の安定した閉位置に向かって指部をガイドするための第2の逆流防止歯止めを有し、
-  指部は、顎部形成手段の制御ユニットの2つの対向するフランジに配置されたガイドスロット内を移動するために適した端部を含み、
-  制御ユニットは、索道器のガイド手段の一方の側に取り付けられ、
-  指部は、制御ケーブルによって顎部形成手段に連結され、
-  制御ケーブルは、顎部形成手段の顎部要素の操縦レバーに連結され、
-  レバーは切欠き付きウェブを含み、切欠き付きウェブは、切欠き付きウェブの動きおよび顎部形成手段の顎部要素の動きを同期させるように結合され、
-  操縦手段はカウンターウェイト形成手段を含み、カウンターウェイト形成手段は顎部形成手段に結合され、顎部形成手段を閉位置に付勢する。
【００２５】
本発明は、単なる例として提供される以下の説明を読むと、より良好に理解され、添付の図面を参照して実施されるであろう。
【図面の簡単な説明】
【００２６】
【図１】本発明による少なくとも1つの索道器を備えた海洋構造物の概略側面図を示す。
【図２】本発明による索道器の設置を示す、そのような海洋構造物の一部分の斜視図を示す。
【図３】本発明による索道器の1つの例示的な実施形態の斜視図を示す。
【図４】本発明による索道器の構成における顎部形成手段の詳細の斜視図を示す。
【図５】本発明による索道器の構成における顎部形成手段の詳細の斜視図を示す。
【図６】本発明による索道器の構成における制御ユニットの側面図を示す。
【図７】本発明による索道器の構成における制御ユニットの斜視図を示す。
【発明を実施するための形態】
【００２７】
これらの図面、特に図1は、一般参照符号1によって指定される浮体構造物等の海洋構造物を示す。
【００２８】
この構造物1は、アンカー固定および係留手段により海底2に係留される。
【００２９】
前記アンカー固定および係留手段は、例えば、例としてチェーンで作成されたアンカー固定ロープを含む。
【００３０】
前記係留およびアンカー固定チェーンのうちの1つは、例えば、一般参照符号3によって指定される。
【００３１】
前記チェーン3の端部のうちの一方は、海底2におけるアンカー固定および係留ポイントに関連付けられ、その他端は、例えば前記図1において一般参照符号5によって指定されたガイド索道器を通じて、浮体構造物と関連付けられる。
【００３２】
そのようなアンカー固定および係留ロープおよびそのような索道器は、例えば浮体構造物1の周りに規則的に分配され、そして、浮体構造物1を適所に保持するために、この浮体構造物1を海底に係留することを可能にする。
【００３３】
図2において、そのような索道器の設置がより詳細に示される。
【００３４】
この図2において、浮体海洋構造物が視認可能であり、一般参照符号1によって指定され、そのアンカー固定および係留ロープは、一般参照符号3によって指定されるチェーンから作成され、索道器は、一般参照符号5によって指定される。
【００３５】
そして、この索道器5は、例えば、上記で説明したように海洋構造物を適所に保持するために、アンカー固定要素3をガイドし、アンカー固定要素3に張力をかけ、アンカー固定要素3を適所に係止することを可能にする。
【００３６】
図3は、そのような索道器の1つの可能な例示的な実施形態を示す。
【００３７】
前記ガイド索道器は、この図3において、依然として一般参照符号5によって指定される。
【００３８】
そして、前記ガイド索道器5は、浮体構造物上の締結手段を含み、前記締結手段は、前記図3において一般参照符号10によって指定される。
【００３９】
前記締結手段10は、例えば浮体構造物上に、溶接、ボルト締め等によって締結されることが意図された任意の適切な締結板(fastening platen)を含む。
【００４０】
アンカー固定構造物3のためのガイド手段11は、例えばヒンジ連結により前記締結板10に装着される。
【００４１】
そして、前記ガイド手段11は、前記アンカー固定要素に張力をかけることを可能にする、索道器におけるアンカー固定要素の並進をガイドする手段を含む。
【００４２】
加えて、前記ガイド手段11は、例えば対応するアンカー固定ポイント上に浮遊している海洋構造物を係留するために、ガイド手段におけるアンカー固定要素の並進を係止することが可能な係止手段も含む。
【００４３】
実際に、図3、図4および図5に示すように、係止手段は一般参照符号12によって指定され、アンカー要素を係止するための顎部形成手段を含む。
【００４４】
これらの顎部形成手段は、これらの図面において一般参照符号13によって指定され、例えば、それぞれ2つの係止顎部要素14および15を含み、これらは索道器の残りの部分に関節接合される。
【００４５】
これらの係止顎部要素14および15は、操縦手段によって移動可能であり、制御手段によって、アンカー固定要素3の並進を係止する閉位置と、前記アンカー固定要素を解放する開位置と、の間で作動される。
【００４６】
上記で示したように、最新技術において、前記係止手段の制御手段は、アンカー固定要素を解放する開位置に前記係止手段を保持するために、操縦手段におけるアクションを維持しなくてはならない。
【００４７】
アクションが維持されない場合、顎部形成手段は、例えば弾性付勢またはカウンターウェイト等の影響下で閉じ、アンカー固定要素を係止する。
【００４８】
本発明による索道器において、制御手段はインパルス型制御手段であり、操縦手段は、顎部形成手段の連続した安定した開位置および閉位置を定義する歯止め手段を含む。
【００４９】
このとき、これらの手段の動作に依拠して、制御手段の連続したパルスにより、顎部形成手段の連続的に安定した開位置および閉位置間の操縦手段の切り替えを制御することが可能であることがわかる。
【００５０】
その目的のために、例えば以下により詳細に説明される歯止め手段が用いられる。
【００５１】
一般参照符号16によって指定されたそのような歯止め手段の1つの例示的な実施形態が、実際上これらの図面において与えられる。
【００５２】
特に図3において、前記手段16が牽引ケーブル17を介して構造物の残りの部分に連結されていることがわかる。
【００５３】
この牽引ケーブル17は、実際に、例えばオペレータが顎部形成手段13の開位置または閉位置を制御することを可能にするケーブルである。
【００５４】
本発明において、前記牽引ケーブル17は、顎部形成手段の制御指部18を操縦するのに用いられ、前記指部は、一般参照符号16によって指定される歯止め手段と関連付けられている。
【００５５】
そして、前記歯止め手段16は、例えば制御指部18に連結されて顎部形成手段13を制御することを可能にする、一般参照符号19によって指定される出力制御ケーブルを含む。
【００５６】
実際に、一般参照符号17によって指定される牽引ケーブルは、図6および図7に示されるように、顎部形成手段13の制御指部18を、その安定した開位置および閉位置間で動かすことを可能にする。
【００５７】
前記図6および図7に示されているように、制御手段、より詳細には一般参照符号16によって指定される歯止め手段が、実際上、索道器の一方の側に固定された、一般参照符号20によって指定された制御ユニットにおいて提供される。
【００５８】
このため、例えば前記制御ユニット20は、例えばネジ締め等によって索道器の残りの部分に、より詳細にはその一方の側に、また更に詳細には索道器のガイド手段11の一方の側に締結された接続金具を有する。
【００５９】
そして、前記制御ユニット20は、互いを横切り、間に顎部形成手段の制御指部18が配置される、例えばフランジ21および22等の2つのフランジを有する。
【００６０】
そして、前記制御指部18は、制御ユニット20のフランジ21および22の間を、前記2つのフランジ21および22の対向する表面に配置されたガイドスロットによって、例えば閉じた輪郭を有する経路の形態で定義された移動経路23に沿って移動可能である。
【００６１】
そして、前記ガイドスロットは、前記制御指部18の対応する端部を受け、ガイドするのに適している。
【００６２】
図6は、例えば、一般参照符号24によって指定され、ユニット20のフランジ21において形成される1つのそのようなスロットの例示的な実施形態を示す。
【００６３】
そして、制御指部18は、歯止め手段16により、顎部形成手段13の2つの安定した位置を定義する閉じた経路に沿って移動可能である。
【００６４】
実際に、これらの図に示されているように、歯止め手段は、制御ユニットのフランジ21および22間に設けられる、例えば一般参照符号25によって指定される第1の歯止めを含む。
【００６５】
そして、この第1の歯止め25は、制御ユニットにおいて傾斜して装着され、これによって、例えば制御指部18がユニットの前記フランジ21および22の間を前方に動くときに、前記第1の歯止め25を引き込み、制御指部18が通過することを可能にし、その後、制御指部18は、顎部要素の、したがって顎部形成手段の、アンカー固定要素を解放するための安定した開位置に対応する安定した位置に制御指部18を係止する位置に戻る。
【００６６】
実際に、制御要素18は、顎部形成手段13の開放を制御し、牽引ケーブル17が解放された場合、制御手段18は前記第1の歯止め25に突き当たる。
【００６７】
前記第1の歯止め25は、制御指部18を、顎部形成手段13の前記開位置に保持する。
【００６８】
前記手段の新たなインパルス型命令時に、すなわち、牽引ケーブル17におけるオペレータによる新たなアクション時に、制御指部18は、顎部形成手段13の開位置POから、前記図6において一般参照符号27によって指定される第2の歯止めを横切って、その閉位置PFに進む。
【００６９】
前記第2の歯止め27は、実際上、制御指部18を、顎部形成手段のその安定した閉位置PFに向けて制御指部18の自由戻り経路においてガイドするための逆流防止歯止めである。
【００７０】
図示されているように、フランジのスロット、および例えばフランジ21のスロット24は、実際上、2つの経路部分、すなわち、制御ケーブル17における第1の牽引インパルスに従って、第1の歯止め25を横切って前記第1の歯止めによって前記安定した開位置に保持されることによって、顎部形成手段のその安定した閉位置PFから前記顎部形成手段のその安定した開位置POに進むことを可能にする第1の経路部分を含む。
【００７１】
そして、制御ケーブル17における第2の牽引インパルスに従って、制御指部18は第2の歯止め27を横切り、そして、前記制御ケーブルにおいてアクションが解放され、第2の逆流防止歯止めによってガイドされた指部18が、前記指部18の戻り経路を辿って顎部形成手段のその安定した閉位置に向かい、したがって構造物のアンカー固定要素をブロックすることを可能にすることができる。
【００７２】
このため、これにより、制御指部の2つの連続した安定した位置を、その牽引ケーブルのインパルス型制御によって定義することが可能である。
【００７３】
そして、前記制御指部18は、上記で示したように、制御指部によって顎部形成手段13に連結される。
【００７４】
前記制御ケーブルは、例えば図3および図4に示され、参照符号29によって指定される。
【００７５】
実際に、示されているように、前記制御ケーブル29は、顎部形成手段13の顎部要素14および15の操縦レバーを作動させるのに適している。
【００７６】
図4に示す例において、顎部要素の前記操縦レバーは、一般参照符号30および31によって指定される。
【００７７】
そして、前記レバー30および31の各々は、顎部形成手段の顎部要素のうちの1つを作動させ、且つ/またはそれらの閉位置および開位置間でそれらを旋回させるのに適している。
【００７８】
説明した例において、例えばレバー30を動かすのに、単一の制御ケーブル29が用いられる。
【００７９】
また、この例において、2つのレバー30および31は、実際に、例えば前記図4に示されるようなウェブ32および33のような切欠き付きウェブを含む。
【００８０】
そして、実際に、前記切欠き付きウェブ32および33は互いに結合され、動きを同期させながら、単一の制御ケーブル29により作動される。
【００８１】
実際に、このため、制御ケーブル29を操作することによって、顎部形成手段13の2つの顎部要素14および15が旋回し、互いに同期することがわかる。
【００８２】
当然ながら、これらの手段の更に他の実施形態も検討することができる。
【００８３】
最後に、顎部形成手段の顎部要素の操縦手段は、例えばカウンターウェイト形成手段も含むことを記しておく。カウンターウェイトは、例えば顎部形成手段13に結合され、これらを閉位置に付勢し、したがって構造物のアンカー固定および係留要素を係止する。
【００８４】
特に図5に示す例示的な実施形態において、前記カウンターウェイト形成手段は一般参照符号40によって指定される。
【００８５】
例えば、前記カウンターウェイト形成手段40は、例えば、索道器の残りの部分におけるそれらの関節接続手段において、それらを閉位置に付勢する顎部形成手段と関連付けられる。
【００８６】
そして、本発明による索道器の構造物において、顎部形成手段の開閉のためにインパルス型制御手段が用いられることがわかる。
【００８７】
実際に、牽引ケーブルにおける牽引インパルスは、顎部形成手段の安定した閉位置および安定した開位置間の操縦手段の移動を引き起こすのに十分である。
【００８８】
これは、顎部形成手段の牽引ケーブルと制御ケーブルとの間に介在する歯止め手段により行われる。
【００８９】
上記において、そのような歯止め手段の1つの可能な例示的な実施形態が説明された。
【００９０】
当然ながら、多くの他の実施形態を検討することができる。
【００９１】
実際に、これらの歯止め手段がインパルス型制御を通じて安定した連続位置を定義することを可能にするために、これらの歯止め手段の多くの実施形態を検討することができる。
【符号の説明】
【００９２】
1  海洋構造物  浮体構造物
2  海底
3  チェーン  アンカー固定要素  アンカー固定構造物
4  アンカー固定ポイント
5  ガイド索道器
10  締結手段  締結板
11  ガイド手段
12  係止手段
13  顎部形成手段
14  係止顎部要素
15  係止顎部要素
16  歯止め手段
17  牽引ケーブル
18  制御指部
20  制御ユニット
21  フランジ
22  フランジ
23  移動経路
24  スロット  ガイドスロット
25  第1の歯止め
27  第2の歯止め
29  制御ケーブル
30  操縦レバー
31  操縦レバー
32  切欠き付きウェブ
33  切欠き付きウェブ
40  カウンターウェイト形成手段
【図１】
2019510688.tif 000003
【図２】
2019510688.tif 000004
【図３】
2019510688.tif 000005
【図４】
2019510688.tif 000006
【図５】
2019510688.tif 000007
【図６】
2019510688.tif 000008
【図７】
2019510688.tif 000009
【手続補正書】
【提出日】平成30年12月11日(2018.12.11)
【手続補正１】
【補正対象書類名】特許請求の範囲
【補正対象項目名】全文
【補正方法】変更
【補正の内容】
【特許請求の範囲】
【請求項１】
アンカー固定ポイント(4)において浮体構造物(1)等の海洋構造物のアンカー固定要素(3)をガイドするための索道器(5)であって、該索道器は、前記アンカー固定要素(3)をガイドする手段(11)および前記アンカー固定要素を適所に係止する手段(12)を有するタイプであり、前記アンカー固定要素が並進移動することを防ぐ閉位置と、前記アンカー固定要素を解放する開位置と、の間を制御手段によって作動される操縦手段によって移動可能な、2つの係止顎部要素(14、15)を含んだ係止顎部の形態をとる手段(13)を有する、索道器(5)において、前記制御手段はインパルス型制御手段であり、前記操縦手段は、前記顎部形成手段(13)の連続的に安定した開位置および閉位置(PO、PF)を定義する歯止め手段(16)を備えていることを特徴とする、索道器(5)。
【請求項２】
前記制御手段は、前記歯止め手段(16)を用いて前記顎部形成手段(13)の2つの安定した位置を定義した閉じた経路に沿って移動可能な、前記顎部形成手段(13)の制御指部(18)のための牽引ケーブル(17)を含んでいることを特徴とする、請求項1に記載のガイド索道器。
【請求項３】
前記歯止め手段(16)は、前記指部(18)のための、前記顎部形成手段(13)の安定した開位置を定義した第1の歯止め(25)を有することを特徴とする、請求項2に記載のガイド索道器。
【請求項４】
前記歯止め手段(16)は、前記指部(18)の自由戻り経路において、前記顎部形成手段(13)の安定した閉位置に向かって前記指部(18)をガイドするための第2の逆流防止歯止め(27)を有することを特徴とする、請求項3に記載のガイド索道器。
【請求項５】
前記指部(18)は、前記顎部形成手段(13)の制御ユニット(20)の、2つの対向したフランジ(21、22)に配置されたガイドスロット(24)内を移動するのに適した端部を含んでいることを特徴とする、請求項4に記載のガイド索道器。
【請求項６】
前記制御ユニット(20)は、前記索道器の前記ガイド手段(11)の一方の側に取り付けられることを特徴とする、請求項5に記載のガイド索道器。
【請求項７】
前記指部(18)は、制御ケーブル(29)によって前記顎部形成手段に連結されている、請求項2から6のいずれか一項に記載のガイド索道器。
【請求項８】
前記制御ケーブル(29)は、前記顎部形成手段(13)の前記顎部要素(14、15)の操縦レバー(30、31)に連結されていることを特徴とする、請求項7に記載のガイド索道器。
【請求項９】
前記レバー(30、31)は切欠き付きウェブ(32、33)を含み、該切欠き付きウェブ(32、33)は、該切欠き付きウェブ(32、33)の動きおよび前記顎部形成手段(13)の前記顎部要素(14、15)の動きを同期させるように結合されていることを特徴とする、請求項8に記載のガイド索道器。
【請求項１０】
前記操縦手段はカウンターウェイト形成手段(40)を含み、該カウンターウェイト形成手段(40)は前記顎部形成手段(13)に結合され、該顎部形成手段(13)を前記閉位置に付勢することを特徴とする、請求項2から9のいずれか一項に記載のガイド索道器。
【国際調査報告】
2019510688.tif 000010
2019510688.tif 000011
2019510688.tif 000012
2019510688.tif 000013
2019510688.tif 000014
2019510688.tif 000015